(57)【要約】      （修正有）【課題】特に、豪雪地帯に適した新たな視線誘導灯を提供する。【解決手段】３つの光源１００と、この光源１００を内蔵する装置本体２００と、この装置本体２００から突設され、前記光源１００からの光Ｌを外部に導く３本の照射筒３００とを備えており、前記照射筒３００から外部に照射された光Ｌが、路肩Ｒ２と車道Ｒ１とを識別するために路面に表示されている車道外側線ＯＬをスポット状の光ＳＬとして照射する車道外側線照射式視線誘導灯であって、装置本体２００の下面２１０から３本の照射筒３００が突設されている。【選択図】図１
2010133208.tif 000002
【特許請求の範囲】
【請求項１】
複数の光源と、この複数の光源を内蔵する装置本体と、この複数の光源を制御する制御部と、前記光源からの光を外部に導くべく、前記装置本体から突出された照射筒とを具備しており、前記複数の光源は、路肩と車道とを識別するために路面に表示されている車道外側線を等間隔で照射するようになっていることを特徴とする車道外側線照射式視線誘導灯。
【請求項２】
前記照射筒は、装置本体の下面から車道側に向かって下向きに突出されており、その先端は、装置本体の車道に向かった面と同一平面上に位置し、前記車道に向かった面は下向傾斜面となっていることを特徴とする請求項１記載の車道外側線照射式視線誘導灯。
【請求項３】
複数の光源と、この複数の光源を内蔵する装置本体と、この複数の光源を制御する制御部と、前記光源からの光を外部に導くべく、前記装置本体に内蔵され、先端のみが装置本体外面に臨んだ照射筒とを具備しており、前記複数の光源は、路肩と車道とを識別するために路面に表示されている車道外側線を等間隔で照射するようになっていることを特徴とする車道外側線照射式視線誘導灯。
【請求項４】
前記照射筒の先端は、装置本体の車道に向かった面に臨み、前記車道に向かった面は下向傾斜面となっていることを特徴とする請求項３記載の車道外側線照射式視線誘導灯。
【請求項５】
前記装置本体の上面は、車道側から下り傾斜になっていることを特徴とする請求項１、２、３又は４記載の車道外側線照射式視線誘導灯。
【請求項６】
前記装置本体の上面に太陽電池を設けたことを特徴とする請求項５記載の車道外側線照射式視線誘導灯。
【請求項７】
前記光源からの光の色彩は、光が照射される箇所の色彩とは異なっていることを特徴とする請求項１、２、３、４、５又は６記載の車道外側線照射式視線誘導灯。
【請求項８】
前記照射筒の下方であって、照射される光を遮ることがない箇所かつ除雪作業車で車道から吹き飛ばされた雪の軌跡上に着雪防止板が設けられていることを特徴とする請求項１、２、３、４、５、６又は７記載の車道外側線照射式視線誘導灯。
【発明の詳細な説明】
【技術分野】
【０００１】
本発明は、道路の路肩と車道とを区別するために路面に表示されている車道外側線を光で照らすための車道外側線照射式視線誘導灯に関する。
【背景技術】
【０００２】
従来、夜間時の運転者に対する走行支援を目的として高速道路や車輌専用道路等に設置される照明装置として視線誘導灯がある。この視線誘導灯は、道路の路肩やトンネルの側壁に沿って設置され、道路（特に、カーブしている道路）の線形を点状または線状に照明、表示するためのものである。
【０００３】
【特許文献１】特開２００１−３２３４２０
【発明の開示】
【発明が解決しようとする課題】
【０００４】
しかしながら、特許文献１記載の視線誘導灯は、ガードレールの外側で点灯、点減することから、道路の路肩と車道とを識別することができず、実際の道路幅の認識ができないことから、間接的な視線誘導にすぎず、安全な視線誘導とはいえなかった。
また、この視線誘導灯では、上端部に設けられた発光部を運転者の視角内に位置させなければならないため、それほど高い位置に設置することはできないという制約がある。一般的にガードレールの上部に発光部を設置する程度である。
【０００５】
このため、豪雪地帯では、路肩に設置された視線誘導灯は、発光部が雪に埋没してしまうため、冬季にはまったく役立たないものとなっていた。特に、除雪作業車で車道の雪を除去すると、除去された雪は車道の外側に吹き飛ばされるため、積雪量がそれほど多くなくても視線誘導灯の発光部が雪に埋没してしまう結果となっていた。このため、視線誘導灯を背高にし、先端の発光部が雪に埋没しないようにすることも考えられるが、それでは、運転者の視角からはずれたかなり高い位置に発光部が位置することになり、視線誘導という本来の機能を発揮することができなくなる。
【０００６】
本発明は、上記事情に鑑みて創案されたもので、特に、豪雪地帯に適した新たな視線誘導灯を提供することを目的としている。
【課題を解決するための手段】
【０００７】
本発明に係る車道外側線照射式視線誘導灯は、複数の光源と、この複数の光源を内蔵する装置本体と、この複数の光源を制御する制御部と、前記光源からの光を外部に導くべく、前記装置本体から突出された照射筒とを備えており、前記複数の光源は、路肩と車道とを識別するために路面に表示されている車道外側線を等間隔で照射するようになっている。
【０００８】
前記照射筒は、装置本体の下面から車道側に向かって下向きに突出されており、その先端は、装置本体の車道に向かった面と同一平面上に位置し、前記車道に向かった面は下向傾斜面となっている。
【０００９】
前記照射筒は、装置本体に内蔵され、先端のみが装置本体外面に臨むようになっていてもよい。
【００１０】
前記装置本体の上面は、車道側から下り傾斜になっている。
【００１１】
前記装置本体の上面に太陽電池を設ける。
【００１２】
前記光源からの光の色彩は、光が照射される箇所の色彩とは異なっている。
【００１３】
前記照射筒の下方であって、照射される光を遮ることがない箇所に、着雪防止板が設けられている。
【発明の効果】
【００１４】
本発明に係る車道外側線照射式視線誘導灯は、路肩と車道とを識別するために路面に表示されている車道外側線を等間隔で照射するものであるから、光源と発光する部分とを分離することができる。すなわち、光源は車道よりかなり高い位置にも設けることが可能であり、発光する部分、すなわち光が照射される車道外側線とするのであるから、通常の視線誘導灯では発光部が雪に埋没してしまうような豪雪地帯でも確実な視線誘導を行うことができる。また、この車道外側線照射式視線誘導灯は、実際の道路幅が認識できない従来の視線誘導灯とは違って、車道外側線が照射されるので、道路の路肩と車道とを直接的に識別できるものとなっている。
【００１５】
特に、照射筒が装置本体の下面から車道側に向かって下向きに突出されており、その先端が装置本体の車道に向かった面と同一平面上に位置するように設置すると、車道側から吹きつけてきた雪まじりの風を装置本体の下向傾斜面が下側に導くため、照射筒の先端が雪で塞がれることがない。
【００１６】
照射筒が装置本体に内蔵され、先端のみが装置本体外面に臨むようになっていると、照射筒の上部に着雪が生じないので、着雪のために照射筒からの光が遮られるとういことがありえない。
【００１７】
また、前記装置本体の上面は、車道側から下り傾斜になっているので、装置本体の上面に雪が積もっても、その雪は車道側にではなく、道路の外側に向かって滑り落ちる。つまり、この装置本体の上面は雪が積もりにくい構造になっている。このため、前記装置本体の上面に太陽電池を設けることも可能となっている。
【００１８】
また、光源からの光の色彩は、光が照射される箇所、すなわち車道外側線の色彩とは異なっていると、より鮮やかに車道外側線を照射することができる。しかも、白色以外の色であれば、車道外側線が雪で覆い隠されていたとしても、車道外側線の存在をスポット状の光によって表示することができる。
【００１９】
さらに、照射筒の下方であって、照射される光を遮ることがない箇所かつ除雪作業車で車道から吹き飛ばされた雪の軌跡上に着雪防止板が設けられていると、除雪作業車によって吹き飛ばされた車道の雪が照射筒に付着することを防止することができる。
【発明を実施するための最良の形態】
【００２０】
図１は本発明の実施の形態に係る車道外側線照射式視線誘導灯とそれを設置する位置関係を示す概略的側面図、図２と本発明の実施の形態に係る車道外側線照射式視線誘導灯の概略的正面図、図３は本発明の実施の形態に係る車道外側線照射式視線誘導灯の装置本体部分の概略的拡大側面図、図４は本発明の実施の形態に係る車道外側線照射式視線誘導灯の設置状況を示す概略的平面図、図５は本発明の他の実施の形態に係る本発明の実施の形態に係る車道外側線照射式視線誘導灯とそれを設置する位置関係を示す概略的側面図である。
【００２１】
本発明の実施の形態に係る車道外側線照射式視線誘導灯１０００は、光源１００と、この光源１００を内蔵する装置本体２００と、この装置本体２００から突設され、前記光源１００からの光Ｌを外部に導く３本の照射筒３００とを備えており、前記照射筒３００から外部に照射された光Ｌは、路肩Ｒ２と車道Ｒ１とを識別するために路面に表示されている車道外側線ＯＬを照射する車道外側線照射式視線誘導灯であって、装置本体２００の下面２１０から照射筒３００が突設されている。
【００２２】
この車道外側線照射式視線誘導灯１０００は、車道Ｒ１（特にカーブ部分）の路肩Ｒ２に沿って、ガードレールＧの外側に一定間隔で設置されるものである。
【００２３】
この車道外側線照射式視線誘導灯１０００の最も上部には、装置本体２００が位置している。この装置本体２００は、車道Ｒ１に向かった面が下向きに傾斜した下向傾斜面２２０として形成されている。かかる装置本体２００には、３つの光源１００と、この光源１００を制御する制御部（図示省略）とが内蔵されている。
【００２４】
前記下向傾斜面２２０の垂直面Ｖに対する傾斜角度θは、２５°±２０°の範囲、すなわち５°〜４５°となっている。
【００２５】
また、この装置本体２００の上面２３０は、車道Ｒ１側から下り傾斜、すなわち車道Ｒ１側が高く、道路の外側に向かって低くなるように構成されている。このため、装置本体２００の上面２３０に雪が積もっても、その雪は車道Ｒ１側にではなく、道路の外側に向かって滑り落ちる。つまり、この装置本体２００の上面２３０は雪が積もりにくい構造になっているので、上面２３０に、車道外側線照射式視線誘導灯１０００の電源となる太陽電池を設けることも可能である。
【００２６】
前記装置本体２００は、図１に示すように、支持柱４００によって車道Ｒ１の外側位置に設置されている。なお、この車道外側線照射式視線誘導灯１０００は、図４等に示すように、路肩Ｒ２と車道Ｒ１とを識別するために路面に表示されている車道外側線ＯＬに沿って、その外側に一定間隔で立設されることになる。
【００２７】
なお、豪雪地帯に設置される車道外側線照射式視線誘導灯１０００にあっては、支持柱４００は、冬季でも装置本体２００が雪に埋没しない程度の高さに設定されることが重要である。このため、支持柱４００の基端部には伸縮部４１０が設けられている。すなわち、冬季は伸縮部４１０を延ばして装置本体２００を雪に埋没しない高い位置に持ちあげるのである。
【００２８】
前記支持柱４００には、図１等に示すように、板状の着雪防止板５００が取付アーム５１０によって取り付けられている。この着雪防止板５００は、豪雪地帯に設置される車道外側線照射式視線誘導灯１０００に設けられるものであって、照射筒３００に雪が付着して光Ｌの照射を阻害しないようにするものである。すなわち、豪雪地帯では、車道の積雪を除去するために除雪作業車を使用するが、この除雪作業車は車道の積雪を車道外にはねのけるため、この着雪防止板５００がないと、車道から除雪された雪が照射筒３００に付着するのである。このため、着雪防止板５００は、照射筒３００から照射される光Ｌを遮ることがない箇所であって、かつ除雪作業車で車道から吹き飛ばされた雪の軌跡上に設けられることが必要である。
【００２９】
なお、この着雪防止板５００は、この車道外側線照射式視線誘導灯１０００が除雪作業車を使用しないような地域に設置される場合には特に必要がないものである。
【００３０】
前記光源１００は、１個もしくは多数の高輝度のダイオード素子がマトリクス状に配置されたものである。この光源１００からの光Ｌは、図示しない反射材等によって効率よく照射筒３００に導かれるようになっている。なお、光源１００の光Ｌは、白色の車道外側線ＯＬとは異なる色、例えば、橙色や黄色、赤色、青色の光Ｌを発するようになっている。
【００３１】
前記３本の照射筒３００は、装置本体２００の下面２１０からそれぞれ異なった方向へ突出されており、その先端は、図１等に示すように、装置本体２００の車道Ｒ１に向かった面である下向傾斜面２２０と同一平面上に位置するようになっている。この照射筒３００の先端には透明なガラスや合成樹脂からなる蓋体が嵌め込まれており、内部に雪が入り込まないようになっている。
【００３２】
このように照射筒３００の先端が、装置本体２００の車道に向かった面である下向傾斜面２２０と同一平面上に位置するようにすることで、車道Ｒ１側から吹きつけられた風Ｗ（図１参照）を装置本体２００の下方に誘導することができる。従って、降雪時には、雪が風Ｗと共に下向傾斜面２２０によって下側に誘導されるため、照射筒３００の前面に雪が付着せず、照射筒３００を塞ぐことを防止される。
また、降雪時以外であれば、下向傾斜面２２０によって下側に誘導された風Ｗによって、照射筒３００の先端の汚れが払い落とされる。この結果、掃除等のメンテナンス周期を延ばすことができる。
【００３３】
また、前記３本の照射筒３００から車道外側線ＯＬに向かって照射された光Ｌは、図２に示すように、等間隔ａでスポット状の光Ｌとして車道外側線Ｒ１を照らしだすことになる。
【００３４】
前記制御部は、光源１００を制御するものであって、主として３つのパターンで光源１００を点灯させる。まず、第１のパターンは、３つの光源１００を常に点灯させる常時点灯パターンである。また、第２のパターンは、３つの光源１００が同期して点減される一斉点減パターンである。さらに、第３のパターンは、３つの光源１００が設置される車道Ｒ１の制限速度に応じたタイミングで点減を繰り返す制限速度対応型点減パターンである。
【００３５】
この第１のパターンが選択されていると、１つの車道外側線照射式視線誘導灯１０００に設けられた３つの光源１００は、距離的には等間隔で車道外側線ＯＬをスポット状に常に照射することになる。
【００３６】
また、第２のパターンが選択されていると、１つの車道外側線照射式視線誘導灯１０００に設けられた３つの光源１００は、距離的には等間隔で車道外側線ＯＬをスポット状に点減照射することになる。
【００３７】
さらに、第３のパターンが選択されていると、その車道Ｒ１を制限速度で走行する運転者から見ると、車道外側線上にスポット状に照射される光ＳＬが自車の移動に同期して移動するように見える。ここで、制限速度以上の速度を出している運転者からみると、自車がスポット状の光ＳＬを追い越したように見えるため、無意識のうちに自車の速度を制限速度にまで落とすという効果がある。なお、この第３のパターンでは、周囲の気象状況等に応じて変更された制限速度にも対応できるようになっている。すなわち、制御部は、周囲の気象条件等により通常の制限速度より低い制限速度になった場合には、その旨の信号を交通監視センター等から受け、新たな低い制限速度に応じたタイミングで点減を行うように変更するのである。
【００３８】
例えば、複数の車道外側線照射式視線誘導灯１０００が６ｍ間隔で設置されるのであれば、照射筒３００から照射される光Ｌを車道外側線ＯＬ上で２ｍ間隔とすることで、車道外側線ＯＬ上のスポット状の光ＳＬは車道外側線ＯＬ上を２ｍ間隔で照射されることになる。
【００３９】
また、制限速度がＡkmの車道Ｒ１に、車道外側線照射式視線誘導灯１０００が６ｍ間隔でスポット状の光ＳＬが２ｍ間隔で照射されることを考えると、最初のスポット状の光ＳＬから次のスポット状の光ＳＬに移動するのに必要な時間Ｔは、以下の式で導かれる。
Ａ（km/h）＝１０Ａ／３６（m/s)
Ｔ＝２（ｍ）／（１０Ａ／３６）（m/s)
最初のスポット状の光ＳＬが照射されてから、次のスポット状の光ＳＬが照射されるまでの時間は、最初のスポット状の光ＳＬから次のスポット状の光ＳＬに移動するのに必要な時間Ｔと等しいから、最初のスポット状の光ＳＬが照射されてから、次のスポット状の光ＳＬが照射されるまでの時間は、７２／１０Ａ（ｓ）となる。
従って、光源１００を７２／１０Ａ（ｓ）ずつタイミングをずらせて順次発光させれば、運転者の視線を誘導することができるのである。
【００４０】
上述した車道外側線照射式視線誘導灯１０００であれば、雪のない夏期には、路肩Ｒ２と車道Ｒ１とを識別するための車道外側線ＯＬに対してスポット状の光ＳＬが一定間隔で照射することができるため、運転者の視角内に納まり、車道外側線ＯＬの存在を運転者に意識させることができる。
【００４１】
この車道外側線照射式視線誘導灯１０００であれば、雪のある冬季であっても、支持柱４００によって高い位置に設置された装置本体２００は雪に埋没することがないので、確実に車道外側線ＯＬに対してスポット状の光ＳＬを一定間隔で照射することができる。
しかも、車道外側線ＯＬが雪に埋没していたとしても、車道外側線ＯＬを覆い隠した雪の上にスポット状の光ＳＬを一定間隔で照射することができるため、運転者に対して車道外側線ＯＬの存在を意識させることができる。
特に，車道外側線ＯＬが雪で覆い隠されている場合には、白色以外の橙色や黄色、赤色の光ＳＬが有効である。
【００４２】
上述した実施の形態では、照射筒３００は、装置本体２００の下面２１０から突出されているとしたが、図５に示すような構成も取りうる。なお、以下の説明では、上述した実施の形態と同じ部材には同じ符号を付する。
【００４３】
すなわち、図５に示す他の実施の形態に係る車道外側線照射式視線誘導灯１０００Ａは、複数の光源１００と、この複数の光源１００を内蔵する装置本体２００と、この複数の光源１００を制御する制御部（図示省略）と、前記光源１００からの光Ｌを外部に導くべく、前記装置本体２００に内蔵され、先端のみが装置本体２００の外面に臨んだ３本の照射筒３００Ａとを備えており、前記複数の光源１００は、路肩Ｒ２と車道Ｒ１とを識別するために路面に表示されている車道外側線ＯＬを等間隔で照射するようになっている。
【００４４】
この実施の形態の特徴的部分は、照射筒３００Ａが装置本体２００に内蔵され、照射筒３００Ａの先端が装置本体２００の外面、特に下向傾斜面２２０に臨んでいる点である。このように照射筒３００Ａが装置本体２００に内蔵されることにより以下のメリットが生じる。すなわち、照射筒３００が装置本体２００の外部に突出する上述したタイプの車道外側線照射式視線誘導灯１０００であると、照射筒３００の上部に着雪が発生し、この着雪のために照射筒３００からの光Ｌが遮られるおそれがあるが、照射筒３００Ａが装置本体２００に内蔵されたこの車道外側線照射式視線誘導灯１０００Ａであると、このようなことが発生しない。
【００４５】
なお、上述した説明では、この車道外側線照射式視線誘導灯１０００、１０００Ａは、ガードレールＧの外側に設置されるとしたが、ガードレールＧの支柱の上に設置されることも可能である。
また、この車道外側線照射式視線誘導灯１０００はカーブ部分のみならず、直線部分に設置することももちろん可能である。
【００４６】
さらに、光源１００は高輝度の発光ダイオード素子以外、例えば、有色のレーザー光を発するレーザーダイオード素子を用いてもよい。
【００４７】
また、上記した実施の形態では、光源１００は３つ、照射筒３００（照射筒３００Ａ）も３本としたが、光源１００を２つ、照射筒３００（照射筒３００Ａ）を２本としてもよいし、光源１００を４つ以上、照射筒３００（照射筒３００Ａ）を４本以上としてもよい。
【図面の簡単な説明】
【００４８】
【図１】本発明の実施の形態に係る車道外側線照射式視線誘導灯とそれを設置する位置関係を示す概略的側面図である。
【図２】本発明の実施の形態に係る車道外側線照射式視線誘導灯の概略的正面図である。
【図３】本発明の実施の形態に係る車道外側線照射式視線誘導灯の装置本体部分の概略的拡大側面図である。
【図４】本発明の実施の形態に係る車道外側線照射式視線誘導灯の設置状況を示す概略的平面図である。
【図５】本発明の他の実施の形態に係る本発明の実施の形態に係る車道外側線照射式視線誘導灯とそれを設置する位置関係を示す概略的側面図である。
【符号の説明】
【００４９】
１００    光源
２００    装置本体
２１０    下面
２２０    下向傾斜面
３００    照射筒
Ｌ        光
ＳＬ      スポット状の光
Ｒ１      車道
Ｒ２      路肩
ＯＬ      車道外側線
【図１】
2010133208.tif 000003
【図２】
2010133208.tif 000004
【図３】
2010133208.tif 000005
【図４】
2010133208.tif 000006
【図５】
2010133208.tif 000007